【事件の表示】
　特願２０００−３０４３３０「記録媒体」拒絶査定不服審判事件〔平成１４年　４月　９日出願公開、特開２００２−１０３８０４〕について、次のとおり審決する。
【結　論】
　本件審判の請求は、成り立たない。
【理　由】
１．手続きの経緯
　
　本願は、平成１２年１０月４日の出願であって、平成２１年４月２７日付けで通知した拒絶理由に対して、同年７月２日付けで手続補正書が提出されたが、同年７月２３日付けで拒絶査定がなされたものであって、これに対し、同年１０月２３日付けで拒絶査定に対する審判請求がなされたものである。
　
　そして、本願の請求項１に係る発明は、上記手続補正書により補正された明細書の記載からみて、その特許請求の範囲の請求項１に記載された事項により特定される次のものと認められる。（以下、請求項１に係る発明を「本願発明１」という。）
　
「【請求項１】　ポリビニルアルコール系樹脂（Ａ）、ホウ素化合物（Ｂ）、有機酸（Ｃ）及び無機質粉体（Ｄ）を含有してなり、ホウ素化合物（Ｂ）の含有量が、ポリビニルアルコール系樹脂（Ａ）１００重量部に対して５〜１５重量部であり、有機酸（Ｃ）の含有量が、ポリビニルアルコール系樹脂（Ａ）１００重量部に対して０．１〜３重量部である組成物（Ｉ）が、基材中及び／又は基材表面の塗工層中に含有されてなることを特徴とする記録媒体。」
　
　
２．引用例に記載された発明
　
（１）引用文献１
　これに対して、原査定の拒絶の理由に引用された、本願の出願前に頒布された特開２０００−１２７６１１号公報（以下、「引用文献１」という。）には、図面とともに以下の事項が記載されている。
　なお、下線は当審で付した。
　
（１ａ）「【特許請求の範囲】
【請求項１】  
不織布の少なくとも一方の面が、少なくとも親水性高分子と架橋剤とで処理されているインク受像シート
【請求項２】  
親水性高分子と架橋剤と粉粒体とで処理
【請求項３】  親水性高分子が、少なくともヒドロキシル基を有する請求項１又は２記載のインク受像シート。
【請求項４】  
親水性高分子が、ポリビニルアルコール又は変性ポリビニルアルコール
【請求項５】  架橋剤が、多価カルボン酸又はその酸無水物である請求項１又は２記載のインク受像シート。
【請求項６】  架橋剤が、マレイン酸又はその酸無水物である請求項１又は２記載のインク受像シート。
【請求項７】  親水性高分子１００重量部に対して、粉粒体が０．１〜４０重量部配合されている請求項２記載のインク受像シート。
【請求項８】  不織布を少なくとも親水性高分子と架橋剤とで処理するインク受像シートの製造方法。」
　
（１ｂ）「【００１１】
【発明の実施の形態】本発明のインク受像シートは、親水性高分子と架橋剤及び必要に応じて粉粒体とで処理した不織布で構成されている。このようなインク受像シートは、飛翔するインク小滴により記録画像を形成する
インクジェット記録用のインク受像シート
【００１２】［不織布］本発明のインク受像シートにおいて、不織布は、インクジェットにより飛翔された水性インクを速やかに吸収するため、見掛上、シート表面で速く乾燥できる利点がある。
【００１３】前記不織布は、水性インクの吸収性を損なわない限り、その種類（原料の種類）は特に限定されず、例えば、天然繊維（綿、麻、絹など）、再生繊維（レーヨンなど）、半合成繊維（アセテートなど）、合成繊維（ナイロン繊維、ポリエステル繊維、アクリル繊維、ポリオレフィン繊維（ポリプロピレン繊維など）など）の繊維を単独で又は混合して使用できる。繊維は鞘や芯構造などを有する複合繊維であってもよい。これらの繊維には、表面処理（例えば、親水化処理）が施されていてもよい。平均繊維径は、例えば、０．０１〜１００μｍ、好ましくは０．１〜５０μｍ程度の範囲から選択できる。
【００１４】不織布の目付けはインク吸収性に応じて選択でき、例えば、５０ｇ／ｍ2 以上、好ましくは１００ｇ／ｍ2 以上の範囲から選択できる。不織布の厚みは用途に応じて適宜選択でき、例えば、５０μｍ〜２ｍｍ、好ましくは１００μｍ〜１ｍｍ（例えば１００〜５００μｍ）、さらに好ましくは１００〜３００μｍ程度である。不織布の繊維密度（不織布の目付けを不織布の厚みで割った値）は１００〜５０００ｋｇ／ｍ3 、好ましくは５００〜２０００ｋｇ／ｍ3 程度である。また、不織布の通気性は０．１〜１００ｃｍ3 ／ｃｍ2 ・ｓｅｃ、好ましくは０．１〜５０ｃｍ3 ／ｃｍ2 ・ｓｅｃ程度である。
【００１５】本発明のインク受像シートは、少なくとも不織布で構成すればよく、支持体の少なくとも一方の面に前記不織布を積層させてもよい。
［親水性高分子］
親水性高分子としては、
親水性高分子
ビニルアルコール系重合体（例えば、ポリビニルアルコール、変性ポリビニルアルコール（エチレン−ビニルアルコール共重合体など）など）
　
（１ｃ）「【００２１】好ましい親水性高分子には、少なくともヒドロキシル基を有する親水性高分子、例えば、セルロース誘導体（特に、ヒドロキシエチルセルロースなど）、ビニルアルコール系重合体（ポリビニルアルコール、変性ポリビニルアルコールなど）、アクリル系重合体などが含まれ、特に、ポリビニルアルコール系重合体（ポリビニルアルコール、変性ポリビニルアルコール）が好ましい。
【００２２】前記ポリビニルアルコールについて、そのケン化度は、特に制限されないが、例えば、１０〜１００％程度の範囲から選択でき、通常、７０〜９５％程度である。変性ポリビニルアルコールとしては、例えば、酢酸ビニルと共重合性モノマーとの共重合体（酢酸ビニル系共重合体）の完全又は部分ケン化物などが挙げられる。アセトアセチル変性ポリビニルアルコールを使用する場合、ケン化度は通常、６０〜９５％程度である。」
　
（１ｄ）「【００２９】アクリル系重合体におけるヒドロキシル基の含有量は、ヒドロキシエチルメタアクリレート換算で、５〜１００重量％、好ましくは５〜７５重量％、さらに好ましく５〜５０重量％程度の範囲から選択でき、通常、１０〜３０重量％程度である。アクリル系重合体におけるカルボキシル基の含有量は、通常、メタアクリル酸換算で、５〜６０重量％、好ましくは１０〜５０重量％、さらに好ましくは１５〜３５重量％程度の範囲から選択できる。
［架橋剤］
架橋剤は、
親水性高分子がヒドロキシル基を有する場合、カルボキシル基
を有する化合物
特に、多価カルボン酸
金属化合物が好ましい
架橋剤は、
二種以上を組合せて使用できる
【００３０】
多価カルボン酸又はその塩もしくは多価カルボン酸の無水物を、ヒドロキシル基含有親水性高分子と組合せることにより、基材が不織布であってもインクの滲みを抑制でき、インク吸収性、アンチブロッキング性及び画像の鮮明性（印字品質）も向上させることができる
【００３１】多価カルボン酸としては、分子中に２以上の複数のカルボキシル基を有する化合物、例えば、脂肪族ポリカルボン酸（シュウ酸、マロン酸、コハク酸、グルタル酸、アジピン酸、ピメリン酸、スベリン酸、アゼライン酸、セバシン酸などのＣ2-10脂肪族飽和ポリカルボン酸など、フマル酸、マレイン酸、無水マレイン酸、シトラコン酸、メサコン酸、イタコン酸などのＣ4-6 脂肪族不飽和ポリカルボン酸など）、脂環族ポリカルボン酸（１，４−シクロヘキサンジカルボン酸、テトラヒドロフタル酸、ヘキサヒドロフタル酸、ハイミック酸などのＣ8-10脂環族ポリカルボン酸など）、芳香族ポリカルボン酸（フタル酸、無水フタル酸、イソフタル酸、テレフタル酸、トリメリット酸、ピロメリット酸などのＣ8-12芳香族ポリカルボン酸又はその酸無水物など）、オキシポリカルボン酸（タルトロン酸、リンゴ酸、酒石酸、クエン酸などのＣ3-6 オキシ多価カルボン酸など）、窒素、酸素及び硫黄原子から選択された少なくとも一種のヘテロ原子を有する複素環式多価カルボン酸（ピリジンジカルボン酸、ピリジントリカルボン酸、ピリジンテトラカルボン酸、イソ糖酸、トロピン酸など）などが例示できる。これらの多価カルボン酸には、脂肪族、脂環族又は芳香族Ｃ2-10ポリカルボン酸（特にＣ3-10ポリカルボン酸）が含まれる。
【００３２】さらに、好ましい多価カルボン酸は、水溶性又は水分散性である場合が多く、温度３０℃において水１００ｇに対して５ｇ以上（好ましくは１０ｇ以上、さらに好ましくは３０ｇ以上）溶解する水溶性多価カルボン酸である。このような多価カルボン酸には、Ｃ2-6 脂肪族多価カルボン酸（特にＣ3-5 脂肪族多価カルボン酸）などが含まれる。多価カルボン酸としては、マレイン酸又はその酸無水物（無水マレイン酸）が特に好ましい。
【００３３】多価カルボン酸は塩としても使用でき、多価カルボン酸のカルボキシル基の一部又は全部が塩基との塩を形成してもよい。多価カルボン酸塩には、無機塩基（アンモニア、カリウム、ナトリウムなどのアルカリ金属など）との塩、有機塩基（第３級アミンなど）との塩が含まれる。」
　
（１ｅ）「【００３９】
金属化合物として
ホウ素
特に、ホウ酸、硼砂
【００４０】前記
架橋剤の使用割合は、
多価カルボン酸換算で、親水性高分子１００重量部に対して
好ましくは１〜２０重量部程度
【００４１】不織布を処理する親水性高分子及び架橋剤の割合は、不織布の空隙を閉塞せず、しかもインクの耐水性などを向上できる範囲から選択でき、例えば、不織布１００重量部に対して、０．１〜７０重量部程度、好ましくは０．５〜５０重量部程度、より好ましくは１〜３０重量部程度である。
【００４２】［粉粒体］粉粒体は前記親水性高分子に必要に応じて含有させてもよい。粉粒体を含有させた親水性高分子で処理することにより、インク受像シートの印字性、耐水性がより向上する。
粉粒体としては、
無機粉粒体
が挙げられる
　
（１ｆ）「【００４９】本発明のインク受像シートは、支持体（例えば、紙、塗工紙、プラスチックフィルムなど）に積層して用いてもよい。
［インク受像シートの製造方法］本発明のインク受像シートは、不織布を親水性高分子と架橋剤と必要に応じて粉粒体とで処理することにより製造できる。
【００５０】処理の方法は、
少なくとも不織布を、親水性高分子と架橋剤と必要に応じて粉粒体とで被覆する
親水性高分子及び架橋剤と必要に応じて粉粒体を含む処理液に浸漬させる処理方法、前記処理液を塗布（コーティング、スプレーなど）などにより被覆させる処理方法
【００５１】処理については、不織布上に親水性高分子と架橋剤と必要に応じて粉粒体が共存する形態である限り、適当に行なうことができ、例えば、親水性高分子及び架橋剤の双方を同時に混合して処理してもよく、いずれか一方を用いて処理した後に他方で処理してもよい。粉粒体は親水性高分子と混合して処理することが好ましいがこの方法に限定されない。
【００５２】前記インク受像シートは、前記処理を施した後、必要により乾燥することにより得られる。」
　
　上記（１ａ）〜（１ｆ）の摘記事項を総合して勘案すると、引用文献１には以下の発明（以下、「引用文献１記載の発明」という。）が実質的に記載されている。
「不織布の少なくとも一方の面を、親水性高分子と架橋剤と無機粉粒体とで塗布により被覆するインクジェット記録用のインク受像シートであって、
親水性高分子がポリビニルアルコールであり、
架橋剤が、多価カルボン酸及び金属化合物を組合せて使用でき、
金属化合物が、ホウ酸、硼砂であり、
架橋剤を、多価カルボン酸換算で、親水性高分子１００重量部に対して１〜２０重量部程度である、
インクジェット記録用のインク受像シート。」
　
　
３．本願発明１と引用文献１記載の発明の対比
　引用文献１記載の発明の「不織布」、「ポリビニルアルコール」、「ホウ酸、硼砂」、「多価カルボン酸」、「無機粉粒体」、「塗布により被覆」、「インクジェット記録用のインク受像シート」は、それぞれ本願発明１の「基材」、「ポリビニルアルコール系樹脂」、「ホウ素化合物」、「有機酸」、「無機質粉体」、「塗工」、「記録媒体」に相当する。
　
　したがって、両者は、
「ポリビニルアルコール系樹脂、ホウ素化合物、有機酸及び無機質粉体を含有してなる組成物が、基材表面の塗工層中に含有されてなる記録媒体。」
　である点一致し、以下の点で相違する。
　
（１）相違点１
　本願発明１は、ホウ素化合物の含有量が、ポリビニルアルコール系樹脂１００重量部に対して５〜１５重量部であり、有機酸の含有量が、ポリビニルアルコール系樹脂１００重量部に対して０．１〜３重量部であるのに対して、引用文献１記載の発明は、ホウ素化合物及び有機酸の含有量が、ポリビニルアルコール系樹脂１００重量部に対して０．１〜２０重量部である点。
　
　
４．判断
　上記相違点について検討する。
（１）相違点１について
　そもそも、架橋により樹脂強度が増すことは周知の技術的事項であり、さらに、ほう酸をポリビニルアルコールの硬膜剤として使用することは、周知の技術的事項である（引用文献１及び特開平１１−２０３０２号公報等参照）。
　また、有機酸を添加することで印字性が良くなることも、周知の技術的事項である（引用文献１及び特開平１０−３０９８６２号公報等参照）。
　そして、架橋剤であるホウ素化合物および有機酸の含有量を、本願発明１と同程度の含有量とする点が、引用文献１に記載されている。
　以上のことから、架橋剤であるホウ素化合物および有機酸の含有量を最適なものとなるよう決定することは、当業者にとって格別な困難はない。
　
（２）作用効果について
　請求人は、平成２１年１０月２３日付けの審判請求書において、架橋剤として、ホウ素化合物を主剤、有機酸を助剤として用いることによりインク受容層の表面強度及び印刷適性を著しく良好とすることを特徴としていると主張する。
　しかし、表面強度及び印刷適性は、本願発明の詳細な説明に記載されている（段落【００２８】参照）ような、基材が不織布であるかフィルムであるかの違い、組成物が基材中又は基材表面にあるかの違い等によって大きく影響を受けることが、当業者には明らかなことである。
　さらに、本願発明の詳細な説明の実施例及び比較例に示されているように、架橋剤の添加量によって奏する表面強度と印刷適性に関する効果は、格別顕著なものとまでは言えない（本願明細書「表１」参照）。
　
　
５．むすび
　以上のとおりであり、本願の請求項１に係る発明は、引用文献１記載の発明および周知の技術的事項に基づいて当業者が容易に発明をすることができたものであるから、特許法２９条第２項の規定により、特許を受けることができず、本願の他の請求項に係る発明について検討するまでもなく、本願は拒絶すべきものである。
　よって、結論のとおり審決する。